(57)【要約】      （修正有）【課題】鞄の中等に常時携帯しておき、一時的に街中等で脱いた上着を、ネクタイ、折畳み傘、携帯電話、めがね、定期券等の小物と一緒に簡易に持ち運ぶことができるポータブルハンガーを提供する。【解決手段】小物を収容する収納部を有し、外周に衣類１６を巻き付けて保持する、筒型のハンガー本体１２と、ハンガー本体１２の両端に連結されてハンガー本体１２を持ち上げるベルト１８とを備えた。ハンガー本体１２の端面に、収納空間に通じる開口が設けられ、かつ開口を塞ぐための押えバンド３１が着脱自在に設けられている。ハンガー本体１２の中間部に、収納空間に通じる開口が設けられ、かつ開口を開閉するファスナー３８が設けられている。【選択図】図１
0003145687.tif 000002
【実用新案登録請求の範囲】
【請求項１】
小物を収容する収納部を有し、外周に衣類を巻き付けて保持する、筒型のハンガー本体と、
前記ハンガー本体の両端に連結されて前記ハンガー本体を持ち上げるベルトとを備えたことを特徴とするポータブルハンガー。
【請求項２】
請求項１に記載のポータブルハンガーにおいて、
前記ハンガー本体は、合成繊維の布地により円筒状に形成され、外周に衣類を巻き付けて保持したとき屈曲しないように、周囲の一部または全体に長さ方向に延びる硬質部材を配設したものであることを特徴とするポータブルハンガー。
【請求項３】
請求項１または２に記載のポータブルハンガーにおいて、
前記ハンガー本体の端面に、収納空間に通じる開口が設けられ、かつ前記開口を塞ぐための押えバンドが着脱自在に設けられていることを特徴とするポータブルハンガー。
【請求項４】
請求項１乃至３のいずれかに記載のポータブルハンガーにおいて、
前記ハンガー本体の中間部に、収納空間に通じる開口が設けられ、かつ前記開口を開閉するファスナーが設けられていることを特徴とするポータブルハンガー。
【請求項５】
請求項１乃至４のいずれかに記載のポータブルハンガーにおいて、
前記ベルトは、前記ハンガー本体の両端部に設けられた透孔に挿通されて前記ハンガー本体の外周面に沿って二重に掛け渡されていることを特徴とするポータブルハンガー。
【考案の詳細な説明】
【技術分野】
【０００１】
本考案は、特に手提げ鞄と一緒にスーツ等の上着を持ち運ぶのに好適なポータブルハンガーに関する。
【背景技術】
【０００２】
街中を手提げ鞄を持って移動中に、例えば暑さ回避のために、一時的に上着を脱いでそれを鞄と共に携帯することが多々ある。その場合、通常、上着の襟元や二つ折りした中間部分を掴んで持ち運んでいる。
また、特定の移動先で着る上着を持ち運ぶ場合は、予め上着を既知のハンガーに掛け、上着とハンガーとを一括してカバー部材で覆う移動用収納具もよく用いられている（特許文献１参照）。
【特許文献１】特開２００３−５２５２１号公報
【考案の開示】
【考案が解決しようとする課題】
【０００３】
上記の従来の技術には、次のような課題があった。すなわち、上着の襟元や二つ折りした中間部分を掴んで持ち運ぶと、上着を汚したり、上着のポケットから小物が落下し紛失したり、鞄があるときには両手が塞がったり等の好ましくない事態になることが多い。また、既知のハンガーとカバー部材からなる収納具は嵩張っていて携帯に不便である。手提げ鞄と一緒にスーツ等の上着を持ち運ぶのは、特に夏場は大変である。
【０００４】
本考案は、上記の課題を解決するためになされたのもので、鞄の中等に常時携帯しておき、一時的に街中等で脱いた上着を、ネクタイ、折畳み傘、携帯電話、めがね、定期券等の小物と一緒に簡易に持ち運ぶことができるポータブルハンガーを提供することを目的とする。
【課題を解決するための手段】
【０００５】
以下の構成はそれぞれ上記の課題を解決するための手段である。
〈構成１〉
小物を収容する収納部を有し、外周に衣類を巻き付けて保持する、筒型のハンガー本体と、上記ハンガー本体の両端に連結されて上記ハンガー本体を持ち上げるベルトとを備えたことを特徴とするポータブルハンガー。
【０００６】
常時鞄に入れて置き、一時的に脱いだ上着を簡易に持ち運ぶことができる。ハンガー本体の収納部に、上着のポケットに入っている携帯電話、めがね、定期券などの小物やネクタイ、折畳み傘等を収納できるので、紛失防止効果があり実用的である。特に夏場に背広服等を掛けて持ち歩くときに利用すると好適である。
【０００７】
〈構成２〉
構成１に記載のポータブルハンガーにおいて、上記ハンガー本体は、合成繊維の布地により円筒状に形成され、外周に衣類を巻き付けて保持したとき屈曲しないように、周囲の一部または全体に長さ方向に延びる硬質部材を配設したものであることを特徴とするポータブルハンガー。
【０００８】
ハンガー本体が合成繊維布製であることにより丈夫かつ軽量であると共に、長さ方向に硬質部材が配設されていることから衣類を型崩れさせることなく安定した状態で持ち運ぶことができる。
【０００９】
〈構成３〉
構成１または２に記載のポータブルハンガーにおいて、上記ハンガー本体の端面に、収納空間に通じる開口が設けられ、かつ上記開口を塞ぐための押えバンドが着脱自在に設けられていることを特徴とするポータブルハンガー。
【００１０】
小物を簡単に収容できる。
【００１１】
〈構成４〉
構成１乃至３のいずれかに記載のポータブルハンガーにおいて、上記ハンガー本体の中間部に、収納空間に通じる開口が設けられ、かつ上記開口を開閉するファスナーが設けられていることを特徴とするポータブルハンガー。
【００１２】
ハンガー本体の中間部を有効利用できる。
【００１３】
〈構成５〉
構成１乃至４のいずれかに記載のポータブルハンガーにおいて、上記ベルトは、上記ハンガー本体の両端部に設けられた透孔に挿通されて上記ハンガー本体の外周面に沿って二重に掛け渡されていることを特徴とするポータブルハンガー。
【００１４】
掛け渡された二重のベルトのうち外側のベルトを持ち上げることにより、内側のベルトが張り詰めるのでハンガー本体に巻き付けた衣類の押えに使用することができる。
【考案を実施するための最良の形態】
【００１５】
以下、本考案の実施の形態を実施例毎に詳細に説明する。
【実施例１】
【００１６】
図１は実施例１のポータブルハンガー１０を示す斜視図、図２は同ポータブルハンガー１０の要部を示す斜視図、図３は同ポータブルハンガー１０の使用例を示す説明図である。
【００１７】
ポータブルハンガー１０は、小物を収容する収納部１４を有する円筒型のハンガー本体１２と、ハンガー本体１２の両端に連結されてハンガー本体１２を持ち上げるベルト１８とを備えている。
【００１８】
ハンガー本体１２は、合成繊維の布地により、外周に衣類１６を巻き付けて保持できる円筒状に形成されている。外周に衣類１６を巻き付けて保持したとき屈曲しないように、周囲の一部に長さ方向に延びる硬質部材２２を配設している。
【００１９】
硬質部材２２は、ハンガー本体１２の内周面に沿う円弧面を有する、樹脂や軽金属製の補強体である。また、図示しないが、硬質部材２２はハンガー本体１２の全周に沿う円筒体でもよい。
【００２０】
ベルト１８は、合成繊維の布地製の帯状体２６と、相互に着脱自在に連結できるバックル２８とを備えている。帯状体２６は、１本の帯状体を硬質部材２２の内側に沿わせハンガー本体１２の両側から延出させたものでもよく、あるいは、２本の帯状体をそれぞれハンガー本体１２の両端部に連結したものでもよい。
【００２１】
ハンガー本体１２やベルト１８を構成する合成繊維布としては、摩擦に強く、撥水性に優れ、裂け難く、軽量なポリエステル、ナイロンなどの生地が好ましい。また、生地には水が滲みこみにくくする防水加工を施すことが好ましい。
【００２２】
図２（ａ）に示されるように、ハンガー本体１２の端面に、内部の収納空間に通じる、２つの開口３０Ａ、３０Ｂが設けられ、かつこれらの開口３０Ａ、３０Ｂを一括して塞ぐための押えバンド３１が設けられている。図２（ｂ）に示されるように、開口３０Ａ、３０Ｂに対応する内部の収納空間には仕切り３２Ａ、３２Ｂが設けられている。例えば、開口３０Ａからは携帯電話３３を挿入し、開口３０Ｂからは折畳み傘３４を挿入する。
【００２３】
押えバンド３１は、一端がハンガー本体１２に接着された柔軟な帯状体であり、他端部に面状ファスナー３６Ａが設けられている。面状ファスナー３６Ａは、ハンガー本体１２の端面における開口３０の上部に設けられた面状ファスナー３６Ｂに着脱自在に固着される。
【００２４】
ハンガー本体１２の中間部に、図１に示されるように内部の収納空間に通じる開口が設けられ、かつ開口を開閉するファスナー３８が設けられている。このファスナー３８を開いてネクタイや上着のポケットに入っている小物等を適宜収納することができる。
【００２５】
ポータブルハンガー１０を使用する場合は、ハンガー本体１２の外周に上着等の衣類１６を巻き付け、衣類１６の両側をそれぞれクリップ４４で留める。この状態でベルト１８を持ち歩いてもよいが、手提げ鞄４０を携帯している場合には、図３に示されるように、ベルト１８を手提げ鞄４０の取手４２に係止した状態でポータブルハンガー１０を持ち運ぶようにすればよい。
【実施例２】
【００２６】
図４は実施例２のポータブルハンガー４６を示す斜視図である。図４には図１と同一部分に同一符号を付し、重複説明を省略する。
ポータブルハンガー４６は、使用時に外周に巻き付けた衣類１６をベルト４８で押えられるようにして上記クリップ４４を不要としたものである。
【００２７】
すなわち、ベルト４８は、ハンガー本体１２の両端部に設けられた透孔５０に挿通されてハンガー本体１２の外周面に沿って二重に掛け渡されるように構成されている。
【００２８】
二重に掛け渡されたベルト４８のうち、外側のベルト４８Ａを持ち上げることにより内側のベルト４８Ｂが張り詰めるので、この張り詰めた内側のベルト４８Ｂを、ハンガー本体１２に巻き付けた衣類１６の押えに利用することができる。
【００２９】
なお、透孔５０をハンガー本体１２自体に設けない構造、すなわち、図示しないが、ハンガー本体１２の両端部の上部に、それぞれ上方に突出する突起部を設け、この突起部に透孔５０を横方向に設けた構造としてもよい。
【図面の簡単な説明】
【００３０】
【図１】実施例１のポータブルハンガーを示す斜視図である。
【図２】同ポータブルハンガーの要部を示す斜視図である。
【図３】同ポータブルハンガーの使用状態を示す説明図である。
【図４】実施例２のポータブルハンガーを示す斜視図である。
【符号の説明】
【００３１】
１０  ポータブルハンガー
１２  ハンガー本体
１４  収納部
１６  衣類
１８  ベルト
２０  衣類
２２  硬質部材
２６  帯状体
２８  バックル
３０Ａ、３０Ｂ  開口
３１  押えバンド
３２Ａ、３２Ｂ  仕切り
３３  携帯電話
３４  折畳み傘
３６Ａ、３６Ｂ  面状ファスナー
３８  ファスナー
４０  手提げ鞄
４２  取手
４４  クリップ
【図１】
0003145687.tif 000003
【図２】
0003145687.tif 000004
【図３】
0003145687.tif 000005
【図４】
0003145687.tif 000006